(57)【特許請求の範囲】
【請求項１】
金網からなる蛇篭同士を相互に連結するための連結装置であって、
前記連結装置は、隣接する蛇篭にそれぞれ取り付けられる線状又は棒状をした係止部材と、該係止部材同士を相互に連結する線状又は棒状をした連結部材とを有し、
前記係止部材は、前記隣接する蛇篭の一方と他方とに、前記金網に沿って複数の網目を横切るように配設されることにより、前記金網を形成する鉄線に係止した状態で、互いに並行するように取り付けられ、
前記連結部材は、前記隣接する蛇篭に跨るように配設され、該連結部材の一端が一方の蛇篭の前記係止部材に連結されると共に、該連結部材の他端が他方の蛇篭の前記係止部材に連結されている、
ことを特徴とする蛇篭用連結装置。
【請求項２】
前記蛇篭は、矩形をなす底面の金網パネル、前面及び後面の金網パネル、左面及び右面の金網パネル、上面の金網パネルのうち、少なくとも底面、前面、後面、左面、右面の金網パネルを有する角形の蛇篭であり、
前記連結装置は、前記蛇篭の底面、前面、後面、左面、右面、上面のうち少なくとも１つの面について、隣接する蛇篭の金網パネル同士を相互に連結している、
ことを特徴とする請求項１に記載の蛇篭用連結装置。
【請求項３】
前記金網は菱形金網であり、該菱形金網は、扁平螺旋状に折曲した前記鉄線の折曲部を順次繋止させることにより形成され、前記係止部材は、前記鉄線の螺旋空間内に挿通されることにより、該鉄線の折曲部同士が連繋する連繋部の位置で前記鉄線に係止していることを特徴とする請求項１又は２に記載の蛇篭用連結装置。
【請求項４】
前記係止部材と連結部材とは、一方の部材に形成された連結孔に他方の部材を挿通することにより相互に連結されていることを特徴とする請求項１から３の何れかに記載の蛇篭用連結装置。
【請求項５】
前記蛇篭は、菱形金網により形成された円筒形の蛇篭であって、軸線方向に隣接するように配設され、前記係止部材は、前記蛇篭を取り囲むように配設され、前記連結部材は、前記蛇篭の軸線方向に配設されて両端が前記係止部材に連結されていることを特徴とする請求項１に記載の蛇篭用連結装置。
【請求項６】
前記隣接する蛇篭の前記連結装置で連結された連結部の外面に、該連結装置を覆う保護カバーが取り付けられていることを特徴とする請求項１から５の何れかに記載の蛇篭用連結装置。
【請求項７】
前記保護カバーは網製であることを特徴とする請求項６に記載の蛇篭用連結装置。
【発明の詳細な説明】
【技術分野】
【０００１】
本発明は、隣接して配置された蛇篭を相互に連結するための連結装置に関するものである。
【背景技術】
【０００２】
例えば特許文献１に記載されているように、海岸、河岸、湖岸等の岸辺に護岸壁を構築したり、傾斜地の法面に補強壁を構築したりする場合に、一般に蛇篭が使用される。この蛇篭は、菱形金網によって四角い容器形や円筒形などに形成されたもので、内部に栗石を充填した状態で岸辺や法面に沿って前後、左右に並べたり、上下に段積したりすることにより、前記護岸壁や補強壁等の擁壁が構築される。その際、蛇篭の位置ずれを防止して前記擁壁の強度を高めるため、隣接する蛇篭同士を適宜の方法で互いに連結している。
【０００３】
前記蛇篭同士の連結は、一般に、該蛇篭の縁に取り付けられている枠線同士を針金で結束するか、側面網における菱形金網の列線同士を針金で結束するなどの方法により行われている。
【０００４】
しかし、このように針金で枠線同士あるいは列線同士を結束する方法は、この針金を蛇篭の網目に挿通して前記枠線や列線に巻き付けることにより行わなければならないため、作業が面倒で手間がかかる。しかも、石詰めすることで大重量化した蛇篭相互間に相対的に位置ずれする方向の力が作用した場合に、前記針金で結束した枠線や列線に強大な力が局部的に作用し、該枠線や列線が大きく変形したり破断したりして蛇篭の損傷を招きやすい。
【０００５】
一方、特許文献２には、石詰めした蛇篭の内部に、連結棒を、該蛇篭を横断して両端が該蛇篭の外部に突出するように挿通し、隣接する蛇篭の連結棒同士を連繋金具で相互に連結することにより、前記蛇篭同士を相互に連結するようにしたものが開示されている。
しかし、これは、前記連結棒を、蛇篭の内部に充填した栗石の間に挟持させることによって一定の位置に保持させるものであるため、栗石の位置ずれによって連結棒の位置が変化する場合があり、連結状態が安定しないという問題がある。
【先行技術文献】
【特許文献】
【０００６】
【特許文献１】特開平１０−１８２９５号公報
【特許文献２】特開２０１２−９２６１４号公報
【発明の概要】
【発明が解決しようとする課題】
【０００７】
本発明の技術的課題は、隣接する蛇篭同士を簡単かつ強固にしかも安定的に連結することができる、簡単な構成の連結装置を提供することにある。
【課題を解決するための手段】
【０００８】
前記課題を解決するため本発明によれば、金網からなる蛇篭同士を相互に連結するための連結装置であって、前記連結装置は、隣接する蛇篭にそれぞれ取り付けられる線状又は棒状をした係止部材と、該係止部材同士を相互に連結する線状又は棒状をした連結部材とを有し、前記係止部材は、前記隣接する蛇篭の一方と他方とに、前記金網に沿って複数の網目を横切るように配設されることにより、前記金網を形成する鉄線に係止した状態で、互いに並行するように取り付けられ、前記連結部材は、前記隣接する蛇篭に跨るように配設され、該連結部材の一端が一方の蛇篭の前記係止部材に連結されると共に、該連結部材の他端が他方の蛇篭の前記係止部材に連結されていることを特徴とする蛇篭用連結装置が提供される。
【０００９】
本発明の具体的な構成態様によれば、前記蛇篭が、矩形をなす底面の金網パネル、前面及び後面の金網パネル、左面及び右面の金網パネル、上面の金網パネルのうち、少なくとも底面、前面、後面、左面、右面の金網パネルを有する角形の蛇篭であって、前記連結装置は、前記蛇篭の底面、前面、後面、左面、右面、上面のうち少なくとも１つの面について、隣接する蛇篭の金網パネル同士を相互に連結している。
【００１０】
本発明において好ましくは、前記金網が菱形金網であり、該菱形金網は、扁平螺旋状に折曲した前記鉄線の折曲部を順次繋止させることにより形成され、前記係止部材は、前記鉄線の螺旋空間内に挿通されることにより、該鉄線の折曲部同士が連繋する連繋部の位置で前記鉄線に係止している。
【００１１】
前記係止部材と連結部材とは、一方の部材に形成された連結孔に他方の部材を挿通することにより相互に連結されていることが望ましい。
【００１２】
本発明の他の具体的な構成態様によれば、前記蛇篭が、菱形金網により形成された円筒形の蛇篭であって、軸線方向に隣接するように配設され、前記係止部材は、前記蛇篭を取り囲むように配設され、前記連結部材は、前記蛇篭の軸線方向に配設されて両端が前記係止部材に連結されている。
【００１３】
本発明において好ましくは、前記隣接する蛇篭の前記連結装置で連結された連結部の外面に、該連結装置を覆う保護カバーが取り付けられていることである。該保護カバーは網製であることが望ましい。
【発明の効果】
【００１４】
本発明によれば、隣接する蛇篭にそれぞれ取り付けられる係止部材と、該係止部材同士を相互に連結する連結部材とからなる簡単な構成の連結装置により、隣接して配置された蛇篭同士を簡単かつ強固にしかも安定的に連結することができる。
【図面の簡単な説明】
【００１５】
【図１】第１実施形態の蛇篭用連結装置で隣接する蛇篭同士を連結した状態を示す斜視図である。
【図２】図１の要部拡大側面図である。
【図３】連結装置で連結する前の蛇篭を分離した状態で示す斜視図である。
【図４】第１実施形態の連結装置を示す側面図である。
【図５】第１実施形態の連結装置で蛇篭を連結する方法を説明するための要部側面図であって、（ａ）は蛇篭に係止部材を取り付けた状態、（ｂ）は係止部材に連結部材を取り付けた状態を示すものである。
【図６】第２実施形態の連結装置を示す側面図である。
【図７】第２実施形態の連結装置で蛇篭を連結する方法を説明するための要部側面図である。
【図８】第３実施形態の連結装置を示す側面図である。
【図９】第３実施形態の連結装置で蛇篭を連結する方法を説明するための要部側面図であって、（ａ）は蛇篭に係止部材と連結部材を取り付けた状態、（ｂ）は連結部材を係止部材に取り付けた状態を示すものである。
【図１０】溶接金網の構成を示す部分平面図である。
【図１１】本発明の第４実施形態を示す斜視図である。
【図１２】図１１の要部拡大側面図である。
【発明を実施するための形態】
【００１６】
図１−図５は本発明に係る蛇篭用連結装置の第１実施形態を示すもので、この第１実施形態の連結装置１Ａは、左右に隣り合うように配設された菱形金網製の蛇篭２の、隣接する底面同士、前面同士、後面同士、及び上面同士をそれぞれ連結するものである。
【００１７】
前記蛇篭２は、図３から明らかなように、底面の金網パネル２ａと、該底面の金網パネル２ａの前後に配置された前面の金網パネル２ｂ及び後面の金網パネル２ｃと、前記底面の金網パネル２ａの左右に配置された左面の金網パネル２ｄ及び右面の金網パネル２ｅと、蛇篭２の上面を覆う上面の金網パネル２ｆとからなる角形の蛇篭であって、前記金網パネル２ａ，２ｂ，２ｃ，２ｄ，２ｅ，２ｆは全て矩形状をなし、前記前面及び後面の金網パネル２ｂ，２ｃ間を結ぶ前後方向の長さ即ち前後長より、左面及び右面の金網パネル２ｄ，２ｅ間を結ぶ左右方向の長さ即ち左右長の方が長い長方形の箱形に形成されている。そして、内部に骨材としての栗石（不図示）を充填した状態で、護岸壁の構築現場や法面補強壁の構築現場等に設置されるものである。
【００１８】
しかし、前記蛇篭２の前後長と左右長との大小関係は前記の場合と逆であっても良く、前後長と左右長とが等しくても構わない。
なお、蛇篭２の設置条件等により、前記上面の金網パネル２ｆは設けられないこともあるが、本実施形態では、この上面の金網パネル２ｆが設けられている場合について説明する。
【００１９】
前記底面の金網パネル２ａと、前面及び後面の金網パネル２ｂ，２ｃと、左面及び右面の金網パネル２ｄ，２ｅとは、各々を個別に形成して相互に連結しても良いが、例えば底面の金網パネル２ａと前面及び後面の金網パネル２ｂ，２ｃとの鉄線３の向きが互いに同じ向き、即ち図示したように横向きである場合には、これら底面の金網パネル２ａと前面及び後面の金網パネル２ｂ，２ｃとを一連の菱形金網によって一体に形成することもできる。また、互いに別体に形成された金網パネル同士の連結は、各金網パネルの外周を取り囲む針金製のパネル枠４の互いに対応する枠辺同士を、スクリューストッパーのような連結金具４ａで結束することにより行われる。
【００２０】
なお、前記菱形金網は、図２に示すように、扁平螺旋形状に折曲した鉄線（列線）３の折曲部３ａを順次連繋することにより形成されたもので、隣接する鉄線３，３の前記折曲部３ａ，３ａが相互に連繋されている部分を連繋部３ｂと呼ぶ。
【００２１】
前記連結装置１Ａは、図４に示すように、金属製又は合成樹脂製の細長い棒状又は線状をした複数の係止部材５と、金属製又は合成樹脂製の細長い棒状又は線状をした複数の連結部材６とを有している。前記係止部材５は、図１に示すように、隣接する蛇篭２，２にそれぞれ取り付けるためのものであり、前記連結部材６は、隣接する蛇篭２，２に取り付けられた前記係止部材５，５同士を相互に連結するためのものである。
なお、本実施形態においては、前記係止部材５及び連結部材６が、前記菱形金網の鉄線３及びパネル枠４と同じ金属線材により形成されているが、分かり易くするため、図１及び図２においては、前記鉄線３及びパネル枠４より太く描かれている。
【００２２】
前記係止部材５は、図１から理解されるように、前記蛇篭２の前面及び後面の金網パネル２ｂ，２ｃに上下方向（高さ方向）に取り付けられる第１の係止部材５ａと、底面及び上面の金網パネル２ａ，２ｆに前後方向に取り付けられる第２の係止部材５ｂとに分かれており、これら第１の係止部材５ａと第２の係止部材５ｂとは、取付対象の金網パネルの上下幅及び前後幅に合わせて互いに異なる長さに形成され、図示した蛇篭の場合は、第１の係止部材５ａの長さより第２の係止部材５ｂの長さの方が長い。
なお、以下の説明において、前記第１の係止部材５ａと第２の係止部材５ｂとを特に区別する必要がないときは、単に「係止部材５」と呼ぶこととする。
【００２３】
前記係止部材５は、図２に前面の金網パネル２ｂに第１の係止部材５ａを取り付けた場合について詳細に示すように、隣接する蛇篭２，２の各々の金網パネル２ｂ，２ｂの前記鉄線３の螺旋空間内に、該金網パネル２ｂ，２ｂに沿って複数の網目を横切るように互いに平行に挿通されることにより、各連繋部３ｂの位置で前記鉄線３に係止して、互いに相手側の係止部材５に近づく方向には移動できないように取り付けられ、両端がパネル枠４に巻き付けられて固定されている。
【００２４】
一方、前記連結部材６は、前記鉄線３の螺旋空間内に挿通された状態か、あるいは金網パネル２ｂ，２ｂの外面に沿った状態で、前記隣接する蛇篭２，２に跨がるように配設され、一端が一方の蛇篭２の係止部材５ａに巻き付けられて固定されると共に、他端が他方の蛇篭２の係止部材５ａに巻き付けられて固定されている。この状態は、前記連結部材６の両端に形成した環（連結孔）の内部に前記係止部材５ａが挿通されて連結されていることと、実質的に同じことである。
【００２５】
前記係止部材５と連結部材６とを使用して隣接する蛇篭２，２同士を相互に連結する方法について、図５により、前面の金網パネル２ｂ，２ｂ同士を連結する場合を例にして説明する。
【００２６】
先ず、図５（ａ）に示すように、前記係止部材５ａを、隣接する蛇篭２，２の各々の金網パネル２ｂに取り付け、その両端はパネル枠４に巻き付けて固定する。この係止部材５ａの取り付けは、蛇篭２の設置現場で行っても良いが、工場で蛇篭２の各金網パネルを製造する際に予め前記金網パネル２ｂに取り付けておいても良い。
【００２７】
次に、図５（ｂ）に示すように、前記連結部材６を、隣接する蛇篭２，２の前記係止部材５ａ，５ａ間に跨るように配設し、前記菱形金網の鉄線３の連繋部３ｂ（図２参照）の位置かあるいは該連繋部３ｂに近い位置で、該連結部材６の一端を一方の蛇篭２の係止部材５ａに巻き付けて固定したあと、該連結部材６の他端を他方の蛇篭２の係止部材５ａに巻き掛けて折り返し、該他端を前記一方の蛇篭２の係止部材５ａ側に引っ張ることによって該連結部材６を引き締めたあと、前記他端を前記他方の蛇篭２の係止部材５ａに巻き付けて固定する。同様にして複数の連結部材６を全て取り付けることにより、前記金網パネル２ｂ，２ｂ同士の連結が終了する。
【００２８】
そして、隣接する蛇篭２，２の隣接するその他の金網パネル２ａ，２ｃ，２ｆ同士を前記係止部材５ａ，５ｂと連結部材６とで同様に連結することにより、図１に示すように、前記蛇篭２，２が相互に連結される。
【００２９】
前記蛇篭２，２の連結強度を高める必要がある場合には、図２に鎖線で示すように、前記係止部材５及び連結部材６とは別の係止部材５及び連結部材６を取り付ければ良い。即ち、前記金網パネルの異なる位置に複数の係止部材５を並行に取り付け、対応する係止部材５同士を連結部材６で連結すれば良い。
【００３０】
なお、前記底面の金網パネル２ａ同士の連結は、蛇篭２の内部に栗石を充填する前に行い、前記前面及び後面の金網パネル２ｂ，２ｃ同士の連結は、前記栗石を充填する前か又は充填した後に行い、前記上面の金網パネル２ｆ同士の連結は、前記栗石を充填した後に行う。しかし、蛇篭２の設置条件等により、底面の金網パネル２ａ，２ａ同士を連結する必要がない場合や、連結するのが難しい場合には、該底面の金網パネル２ａ，２ａ同士の連結を省略することもできる。また、上面の金網パネル２ｆを取り付けない場合には、該上面の金網パネル２ｆ同士の連結は省略される。
【００３１】
このようにして、隣接する蛇篭２，２の隣接する金網パネル２ａ，２ｂ，２ｃ，２ｆ同士を前記係止部材５と連結部材６とで相互に連結することにより、隣接する蛇篭２，２同士を簡単且つ強固に連結することができる。
【００３２】
図６は本発明に係る蛇篭用連結装置の第２実施形態を示すもので、この第２実施形態の連結装置１Ｂが前記第１実施形態の連結装置１Ａと相違する点は、第１及び第２の係止部材５ａ，５ｂにそれぞれ複数の連結孔８が予め形成されていることである。この連結孔８は、前記係止部材５ａ，５ｂが鉄線で形成されている場合には、該鉄線を環状に折り曲げることにより形成することができ、前記係止部材５ａ，５ｂが細板材で形成されている場合には、該細板材に孔を開けることにより形成することができる。
【００３３】
この第２実施形態の連結装置１Ｂで隣接する蛇篭２，２同士を連結するときは、図７に前面の金網パネル２ｂ，２ｂ同士を連結する場合を例にして示すように、前記係止部材５ａを各々の蛇篭２の金網パネル２ｂに取り付けたあと、図７における３本の連結部材６のうちの下２本の連結部材６のように、該連結部材６の両端を前記係止部材５ａの連結孔８に挿通し、最上段の連結部材６のように、該連結部材６の一端を一方の係止部材５ａに巻き付けて固定したあと、該連結部材６の他端を前記一方の係止部材５ａ側に引っ張って引き締め、その状態で該他端を前記他方の係止部材５ａに巻き付けて固定する。そして、隣接する蛇篭２，２のその他の金網パネル２ａ，２ｃ，２ｆ同士を前記係止部材５ａ，５ｂと連結部材６とで同様に連結することにより、前記蛇篭２が相互に連結される。
【００３４】
なお、この第２実施形態の連結装置１Ｂで隣接する蛇篭２，２を連結する場合においても、底面及び上面の金網パネル２ａ，２ｆ同士を連結する必要がないときは、それらの連結は行われない。
【００３５】
図８は本発明に係る蛇篭用連結装置の第３実施形態を示すもので、この第３実施形態の連結装置１Ｃが前記第１及び第２実施形態の連結装置１Ａ，１Ｂと相違する点は、連結部材６の一端に環状をした連結孔９が予め形成されていることである。
【００３６】
この第３実施形態の連結装置１Ｃで隣接する蛇篭２，２同士を連結するときは、図９（ａ）に前面の金網パネル２ｂ，２ｂ同士を連結する場合を例にして示すように、複数の前記連結部材６を、隣接する蛇篭２，２の金網パネル２ｂ，２ｂに、該金網パネル２ｂ，２ｂに跨って延在すると共に、全ての連結部材６の連結孔９が同軸上に位置するように取り付けたあと、一方の蛇篭２の金網パネル２ｂには、前記連結孔９を貫通するように係止部材５ａを取り付け、他方の蛇篭２の金網パネル２ｂには、前記連結部材６と交差するように係止部材５ａを取り付ける。そして、図９（ｂ）に示すように、前記他方の蛇篭２側において、前記連結部材６の端部を前記係止部材５ａに巻き掛けて該連結部材６を引き締めたあと、該連結部材６の端部を前記係止部材５ａに巻き付けて固定する。そして、隣接する蛇篭２，２のその他の金網パネル２ａ，２ｃ，２ｆ同士を前記係止部材５ａ，５ｂと連結部材６とで同様に連結することにより、前記蛇篭２が相互に連結される。
【００３７】
なお、この第３実施形態の連結装置１Ｃで隣接する蛇篭２，２を連結する場合においても、底面及び上面の金網パネル２ａ，２ｆ同士を連結する必要がないときは、それらの連結は行われない。
【００３８】
前後方向に隣接する蛇篭２，２同士を相互に連結する場合は、該蛇篭２の左面の金網パネル３ｄ，３ｄ同士、右面の金網パネル３ｅ，３ｅ同士、底面の金網パネル２ａ，２ａ同士、及び上面の金網パネル２ｆ，２ｆ同士のうち、少なくとも１面の金網パネル同士が、前記連結装置１Ａ−１Ｃによって同様に連結される。
【００３９】
なお、前記実施形態では、前記蛇篭２が菱形金網で形成されているが、溶接金網で形成されていても良い。この溶接金網は、図１０に示すように、交差する縦鉄線１０と横鉄線１１との交点１２を電気抵抗溶接によって溶着一体化したものである。
【００４０】
また、前記実施形態では、角形の蛇篭の連結について説明したが、本発明は、円筒形をした蛇篭を長手方向（軸線方向）に連結する場合にも適用することができる。この場合、該蛇篭は菱形金網で形成され、前記係止部材は、該菱形金網を形成する鉄線（列線）の螺旋空間内に挿通された状態で蛇篭を取り囲むように配設され、前記連結部材６は、前記蛇篭の軸線方向に配設されて一端と他端が一方の蛇篭の係止部材５と他方の蛇篭の係止部材５とに固定される。
【００４１】
図１１及び図１２は本発明の第４実施形態を示すもので、この第４実施形態が前記第１−第３形態と相違する点は、前記蛇篭２，２の前記連結装置１Ａ−１Ｃで連結された連結部の外面に、該連結装置１Ａ−１Ｃを覆うように金網製の保護カバー１４が取り付けられていることである。
【００４２】
前記保護カバー１４は、鉄線１５からなる菱形金網によってパネル状に形成され、必要に応じて外周に針金製のカバー枠１６を取り付けたもので、隣接する蛇篭２，２に跨るように取り付けられ、前記連結装置１Ａ−１Ｃを覆うことによって外観上の見栄えを良くする化粧部材としての役目と、前記連結装置１Ａ−１Ｃを形成する係止部材５及び連結部材６の端部（切断端）を覆って該端部が外部に突出した状態になるのを防止する安全部材としての役目とを果たすものである。前記保護カバー１４を形成する菱形金網には、扁平螺旋状に折り曲げられた前記鉄線１５による厚みがあるため、この厚みによって前記係止部材５及び連結部材６の端部が外部に突出するのが防止される。
【００４３】
図示した例では、隣接する蛇篭２，２の底面、前面、後面、左面、右面及び上面の金網パネル２ａ，２ｂ，２ｃ，２ｆがそれぞれ連結されているため、これら全ての面の金網パネルに前記保護カバー１４が取り付けられているが、互いに連結されていない面がある場合には、この非連結の面に必ずしも前記保護カバー１４を取り付ける必要はない。
【００４４】
また、前記保護カバー１４の前記蛇篭２に対する取り付けは、該保護カバー１４のカバー枠１６や鉄線１５の連繋部１５ａ等を、前記金網パネル２ａ，２ｂ，２ｃ，２ｆのパネル枠４や鉄線３の連繋部３ｂ等に、針金やその他の適宜連結金具１７で結着することにより行われる。
なお、前記保護カバー１４は、溶接金網で形成することも、プラスチック製の網で形成することもでき、このように溶接金網又はプラスチック製の網で形成する場合、網厚を確保するため、厚手のものを使用するか、あるいは複数層に重ねた状態にして使用することもできる。
【符号の説明】
【００４５】
１Ａ，１Ｂ，１Ｃ    連結装置
２      蛇篭
２ａ      底面の金網パネル
２ｂ      前面の金網パネル
２ｃ      後面の金網パネル
２ｄ      左面の金網パネル
２ｅ      右面の金網パネル
２ｆ      上面の金網パネル
３      鉄線
３ａ      折曲部
３ｂ      連繋部
４      パネル枠
５，５ａ，５ｂ      係止部材
６      連結部材
８，９      連結孔
１４      保護カバー
【要約】
【課題】隣接する蛇篭同士を簡単かつ強固にしかも安定的に連結することができる、簡単な構成の連結装置を得る。
【解決手段】連結装置１Ａは、隣接する蛇篭２にそれぞれ取り付けられる係止部材５と、該係止部材５同士を相互に連結する連結部材６とを有し、前記係止部材５は、前記隣接する蛇篭２の一方と他方とに、前記金網に沿って複数の網目を横切るように互いに並行に挿通されることにより、前記金網を形成する鉄線３に係止するように取り付けられ、前記連結部材６は、前記隣接する蛇篭２に跨るように配設され、該連結部材６の一端が一方の蛇篭の前記係止部材５に連結されると共に、該連結部材６の他端が他方の蛇篭２の前記係止部材６に連結されている。
【選択図】図１【図１】
0005826338.tif 000002
【図２】
0005826338.tif 000003
【図３】
0005826338.tif 000004
【図４】
0005826338.tif 000005
【図５】
0005826338.tif 000006
【図６】
0005826338.tif 000007
【図７】
0005826338.tif 000008
【図８】
0005826338.tif 000009
【図９】
0005826338.tif 000010
【図１０】
0005826338.tif 000011
【図１１】
0005826338.tif 000012
【図１２】
0005826338.tif 000013